(57)【要約】【課題】遊技機の動作に関わる電気的制御を実行するための電子部品とコネクタを実装した遊技制御基板を内包する基板ボックスを備えた遊技機において、基板ボックスのかしめ作業を効率よく確実に行えるようにするとともに、不正行為を確実に防止できるようにする。【解決手段】固着機構をかしめねじ７６と該かしめねじ７６を挿通可能な貫通孔７３ａ，７４ａが開設された座金７０とから構成し、かしめねじ７６を貫通孔７３ａ，７４ａに押し込むことで固着を行うようにする。これにより、特殊な工具を使用することなくかしめを行うことができ、基板ボックス１２のかしめ作業を効率よく確実に行うことができる。また、座金７０の覆い面７２がかしめ部３０とかしめ受部５０との接合部分を覆うように配されるようにし、固着機構の不正な切断を防止でき遊技機１００に対する不正行為を確実に防止する。【選択図】図７
2008073226.tif 000002
【特許請求の範囲】
【請求項１】
遊技機の動作に関わる電気的制御を実行するための電子部品とコネクタを実装した遊技制御基板を内包する基板ボックスを備えた遊技機において、
前記基板ボックスは、
第１ボックス形成部材と、第２ボックス形成部材と、からなるとともに、
前記第１ボックス形成部材と前記第２ボックス形成部材とを固着する固着手段を備え、
前記固着手段は、
前記第１ボックス形成部材から延設された連結部を介して設けられるかしめ部と、
前記第２ボックス形成部材から延設された連結部を介して設けられるかしめ受部と、
前記かしめ部と前記かしめ受部とを固着する固着機構と、を有するとともに、
前記固着機構により前記かしめ部と前記かしめ受部とが固着状態とされた場合には、前記連結部を破壊しない限りその固着状態を解除することができないように構成され、
前記かしめ部は、該かしめ部内を前記かしめ受部へ向けて貫通する挿入空間部と、当該かしめ部の外側面から前記挿入空間部へ貫通するように開設された第１スリットと、を有し、
前記かしめ受部は、前記かしめ部と対向する側に開口し、前記挿入空間部と連通する凹部と、当該かしめ受部の外側面から前記凹部へ貫通するように開設された第２スリットと、を有し、
前記固着機構は、
前記かしめ部の挿入空間部から前記かしめ受部の凹部へ挿入されて固着を行うかしめねじと、
前記かしめねじが貫通可能な貫通孔が開設され、前記第１スリットに挿入される第１片と、前記かしめねじが貫通可能な貫通孔が開設され、前記第２スリットに挿入される第２片と、前記第１片と前記第２片とを接続し、前記かしめ部と前記かしめ受部との接合部分を覆う覆い面とを備える座金と、からなり、
前記第１スリットに前記第１片を挿入し、前記第２スリットに前記第２片を挿入した状態で、前記かしめねじを前記挿入空間部から凹部へ押し込み、前記貫通孔に貫通させることで、前記かしめ部と前記かしめ受部との固着を行うようにしたことを特徴とする遊技機。
【請求項２】
前記かしめ部は、前記第１スリットと対向する位置に、当該かしめ部の外側面から前記挿入空間部へ貫通するように開設された貫通スリットを備え、
前記座金は、前記第１片が前記第１スリット及び貫通スリットを貫通し、前記連結部を覆うように配されることを特徴とする請求項１に記載の遊技機。
【請求項３】
前記かしめ受部は、前記第２スリットと対向する位置に、当該かしめ受部の外側面から前記凹部へ貫通するように開設された貫通スリットを備え、
前記座金は、前記第２片が前記第２スリット及び貫通スリットを貫通し、前記連結部を覆うように配されることを特徴とする請求項１または２に記載の遊技機。
【請求項４】
前記座金は、前記第１片の挿入方向側の端部、前記第２片の挿入方向側の端部及び前記覆い面の挿入方向側の面のうち、少なくとも一つが前記基板ボックスに係止されることで挿入方向側への移動が規制され、所定位置に配されることを特徴とする請求項１から３の何れか一項に記載の遊技機。
【発明の詳細な説明】
【技術分野】
【０００１】
本発明は、遊技機の動作に関わる電気的制御を実行するための電子部品とコネクタを実装した遊技制御基板を内包する基板ボックスを備えた遊技機に関する。
【背景技術】
【０００２】
従来、遊技制御基板を収納する基板ボックスは、基板を収納した状態で収納部材とベース部材とをスライド等により取り付け、特殊な工具（例えばドライバー）を使用して単方向ネジ（ワンウェイねじ）を締めて固定し、さらにその上から樹脂製のビス押さえ部材（封印キャップ）を嵌め込んで、特殊な溶着（例えば超音波溶着）によってビス押さえ部材（封印キャップ）を強固に取り付けるようにしている（例えば、特許文献１参照）。
【特許文献１】特開２００５−２５３７３５号公報
【発明の開示】
【発明が解決しようとする課題】
【０００３】
しかし、上記のような従来の基板ボックスの構成では、単方向ネジを締めて固定した後、さらにその上から特殊な溶着によって固着を行っているので、かしめを行う際の作業工程が煩雑であるという問題があった。また、基板ボックスを開放する際、１つのかしめ構造を破壊して検査等を行い、再閉塞する際には、再度同様の操作を行わないとかしめが行えず、その都度特殊な工具等を使用するため、作業効率が悪く、非常に手間のかかる作業であった。
また、遊技制御基板を収納しているボックスとかしめ部との連結部はむきだしであり、不正を行おうと思えば、その部分を切断すればよいことが明確であり、切断等の不正行為を防止することは非常に難しい問題であった。
【０００４】
本発明の目的は、遊技機の動作に関わる電気的制御を実行するための電子部品とコネクタを実装した遊技制御基板を内包する基板ボックスを備えた遊技機において、基板ボックスのかしめ作業を効率よく確実に行えるようにするとともに、不正行為を確実に防止できるようにすることである。
【課題を解決するための手段】
【０００５】
以上の課題を解決するため、請求項１に記載の発明は、遊技機の動作に関わる電気的制御を実行するための電子部品とコネクタを実装した遊技制御基板を内包する基板ボックスを備えた遊技機において、
前記基板ボックスは、
第１ボックス形成部材と、第２ボックス形成部材と、からなるとともに、
前記第１ボックス形成部材と前記第２ボックス形成部材とを固着する固着手段を備え、
前記固着手段は、
前記第１ボックス形成部材から延設された連結部を介して設けられるかしめ部と、
前記第２ボックス形成部材から延設された連結部を介して設けられるかしめ受部と、
前記かしめ部と前記かしめ受部とを固着する固着機構と、を有するとともに、
前記固着機構により前記かしめ部と前記かしめ受部とが固着状態とされた場合には、前記連結部を破壊しない限りその固着状態を解除することができないように構成され、
前記かしめ部は、該かしめ部内を前記かしめ受部へ向けて貫通する挿入空間部と、当該かしめ部の外側面から前記挿入空間部へ貫通するように開設された第１スリットと、を有し、
前記かしめ受部は、前記かしめ部と対向する側に開口し、前記挿入空間部と連通する凹部と、当該かしめ受部の外側面から前記凹部へ貫通するように開設された第２スリットと、を有し、
前記固着機構は、
前記かしめ部の挿入空間部から前記かしめ受部の凹部へ挿入されて固着を行うかしめねじと、
前記かしめねじが貫通可能な貫通孔が開設され、前記第１スリットに挿入される第１片と、前記かしめねじが貫通可能な貫通孔が開設され、前記第２スリットに挿入される第２片と、前記第１片と前記第２片とを接続し、前記かしめ部と前記かしめ受部との接合部分を覆う覆い面とを備える座金と、からなり、
前記第１スリットに前記第１片を挿入し、前記第２スリットに前記第２片を挿入した状態で、前記かしめねじを前記挿入空間部から凹部へ押し込み、前記貫通孔に貫通させることで、前記かしめ部と前記かしめ受部との固着を行うようにしたことを特徴とする。
【０００６】
請求項１に記載の発明によれば、固着機構はかしめねじと該かしめねじを挿通可能な貫通孔が開設された座金とからなり、かしめねじを貫通孔に押し込むことで固着を行うようにしたので、特殊な工具を使用することなくかしめを行うことができ、基板ボックスのかしめ作業を効率よく確実に行うことができる。また、座金の覆い面がかしめ部とかしめ受部との接合部分を覆うように配されるので、固着機構の不正な切断を防止でき遊技機に対する不正行為を確実に防止できる。
【０００７】
請求項２に記載の発明は、請求項１に記載の遊技機であって、前記かしめ部は、前記第１スリットと対向する位置に、当該かしめ部の外側面から前記挿入空間部へ貫通するように開設された貫通スリットを備え、
前記座金は、前記第１片が前記第１スリット及び貫通スリットを貫通し、前記連結部を覆うように配されることを特徴とする。
【０００８】
請求項２に記載の発明によれば、第１片が連結部を覆うように配されるので、連結部の不正な切断を困難にし、遊技機に対する不正行為を防止できる。特に、第１片が外部から視認可能な位置で連結部を覆う場合は、不正な切断が困難であることを示すことができ、不正行為を未然に防ぐことができる。
【０００９】
請求項３に記載の発明は、請求項１または２に記載の遊技機であって、前記かしめ受部は、前記第２スリットと対向する位置に、当該かしめ受部の外側面から前記凹部へ貫通するように開設された貫通スリットを備え、
前記座金は、前記第２片が前記第２スリット及び貫通スリットを貫通し、前記連結部を覆うように配されることを特徴とする。
【００１０】
請求項３に記載の発明によれば、第２片が連結部を覆うように配されるので、連結部の不正な切断を困難にし、遊技機に対する不正行為を確実に防止できる。特に、第２片が外部から視認可能な位置で連結部を覆う場合は、不正な切断が困難であることを示すことができ、不正行為を未然に防ぐことができる。
【００１１】
請求項４に記載の発明は、請求項１から３の何れか一項に記載の遊技機であって、前記座金は、前記第１片の挿入方向側の端部、前記第２片の挿入方向側の端部及び前記覆い面の挿入方向側の面のうち、少なくとも一つが前記基板ボックスに係止されることで挿入方向側への移動が規制され、所定位置に配されることを特徴とする。
【００１２】
請求項４に記載の発明によれば、座金は第１片の挿入方向側の端部、第２片の挿入方向側の端部及び覆い面の挿入方向側の面のうち、少なくとも一つが基板ボックスに係止されることで挿入方向側への移動が規制され、所定位置に配されるので、座金が所定の位置に挿入されたことが確実に把握できる。特に、覆い面が係止された状態では、覆い面がかしめ部とかしめ受部との接合部分に密着して略面一となり、連結部の不正な切断がより困難になるので、不正行為を確実に防止できる。
【発明の効果】
【００１３】
本発明によれば、固着機構はかしめねじと該かしめねじを挿通可能な貫通孔が開設された座金とからなり、かしめねじを貫通孔に押し込むことで固着を行うようにしたので、特殊な工具を使用することなくかしめを行うことができ、基板ボックスのかしめ作業を効率よく確実に行うことができる。また、座金の覆い面がかしめ部とかしめ受部との接合部分を覆うように配されるので、固着機構の不正な切断を防止でき遊技機に対する不正行為を確実に防止できる。
【発明を実施するための最良の形態】
【００１４】
以下、この発明の実施形態について図面を参照して説明する。
ここでは、本発明にかかる遊技機の適例としてのパチンコ遊技機について図１から図７を用いて説明を行う。
【００１５】
図１に示すように、本実施形態の遊技機１００は、矩形枠状に構成された機枠１１０を備え、この機枠１１０の前方には、該機枠１１０に対し回動可能に矩形枠状の前面枠１２０が軸支されている。なお、図１は機枠１１０を有する遊技機１００全体の背面側を示している。
【００１６】
また、前面枠１２０は、当該前面枠１２０に備えられる各種部材等の取付用のベースとなる前面枠本体１３０と、当該前面枠本体１３０に対して、その前面側に回動可能に軸支されたクリア部材保持枠（図示略）と、クリア部材保持枠の下側に取り付けられた発射操作を行うための発射操作ユニット（図示略）とを有する。
【００１７】
前面枠本体１３０は、矩形枠状の機枠１１０の前面側をちょうど覆うような概略矩形板状に構成されるとともに、その中央から上端部に渡る部分に後述する遊技盤１を嵌め込んで収容するための方形状の開口部が形成されている。そして、前面枠本体１３０に収容された遊技盤１の前面が前面枠本体１３０の開口部から前側に臨むようになっている。すなわち遊技盤１は、前面枠本体１３０に嵌め込まれることで前面枠１２０に取り付けられている。
【００１８】
この前面枠本体１３０の遊技盤１が嵌め込まれた開口部、すなわち、前面枠本体１３０の中央より少し下側から上端部にわたる部分には、前面枠本体１３０の前側を覆うように図示しないクリア部材保持枠が配置されている。そして、遊技盤１の前面とクリア部材保持枠に嵌め込まれたクリア部材としてのガラス板との間であって、遊技盤１の前面に設けられたガイドレール（図示略）に囲まれた部分が、遊技球が発射されて流下する遊技領域（図示略）とされ、この遊技領域内に遊技球（打球；遊技媒体）を発射して遊技を行うようになっている。
【００１９】
また、前面枠本体１３０の前面側のクリア部材保持枠の下側に取り付けられた発射操作ユニットは、排出された遊技球を貯留するとともに、遊技球を発射する発射装置に遊技球を送る上皿と、上皿に収容しきれない遊技球を収容する下皿及び灰皿と、遊技領域に向けての遊技球の発射操作を行うとともに、発射勢を調節するための操作ハンドルなどが設けられている。
【００２０】
また、前面枠本体１３０の裏面側には、遊技機１００としての諸機能を実現するための機構として、例えば、島設備より供給される遊技球を貯留する貯留タンク１０１や、球貸要求に応じた球排出や賞球排出を行う排出装置１０２や、遊技盤１に設けられた各種入賞口へ入賞して回収された遊技球や何れの入賞口にも入賞せずにアウト口から回収された遊技球を機外の回収球搬送路へ導く遊技球回収機構などが設けられている。また、遊技盤１に設けた遊技装置の動作制御などを行うことで遊技の進行を統括的に制御する遊技制御装置１０、球排出や打球の発射制御を行う排出・発射制御装置１０３、各部へ所定の電源を供給する電源装置１０４等が設けられている。なお、本実施形態における遊技制御装置１０は、遊技盤１の裏面下方部に装着される遊技盤裏面構成部材１０５に着脱可能に取り付けられている。
【００２１】
次に、遊技制御装置１０の詳細な構造について、図２から図７を参照して説明する。遊技制御装置１０は、遊技機１００の制御を行う遊技制御基板１１を基板ボックス１２に収納したものであって、遊技盤１の裏面側に取り付けられている。なお、遊技制御装置１０は遊技盤１の裏面に取り付けられ、該遊技盤１が前面枠本体１３０に取り付けられることで、遊技機１００の裏面側から視認可能に配されるようになっている。よって、以下の説明では、図１に示すように、遊技機１００の裏面側に配された遊技制御装置１０を遊技機１００の裏面側から見た状態を基準として、遊技機１００の裏面側から視認可能な面を前面（正面）、遊技盤１に取り付けられた側を後面とし、上下左右も遊技機１００の裏面側から見た状態での上下左右とする。
【００２２】
図２，３に示すように、遊技制御基板１１は矩形板状の基板であって、一側面には他の装置と接続するための複数のコネクタ１３，１３，…が設けられているとともに、図示しない電子部品が配されている。この遊技制御基板１１においては、例えば、大当たりの抽選や、遊技に関する種々の処理がなされるようになっており、このような制御を行う遊技制御基板１１に対する不正行為を防止するために、遊技制御基板１１は基板ボックス１２に収納されている。
【００２３】
遊技制御基板１１を収納する基板ボックス１２は、遊技制御装置１０の前面側を構成する第１ボックス形成部材２０と、後面側を構成する第２ボックス形成部材４０とからなり、第１ボックス形成部材２０と第２ボックス形成部材４０とを組み合わせることで形成される収納部に遊技制御基板１１を収納するようになっている。また、この第１ボックス形成部材２０と第２ボックス形成部材４０は後述する固着手段６０によって固着可能であって、これにより、遊技制御基板１１が基板ボックス１２に完全に内包された状態となり、遊技制御基板１１に対する不正行為を防止するようになっている。さらに、この基板ボックス１２を構成する第１ボックス形成部材２０、第２ボックス形成部材４０は、透光性の合成樹脂で形成されており、内部に収納した遊技制御基板１１を視認可能となっている。
【００２４】
遊技制御装置１０の前面側を形成する第１ボックス形成部材２０は、遊技制御装置１０の前面をなす略矩形状の前面壁２１と、該前面壁２１の周囲を囲むように一側面側に垂直に突出し、遊技制御装置１０の前側の側面をなす前部周囲壁２２とを備えており、これら前面壁２１と前部周囲壁２２とから遊技制御基板１１を収納可能な凹室状の前方収納部２３を備えた略矩形箱状に形成されている。
【００２５】
この第１ボックス形成部材２０における遊技制御基板１１と対向する前面壁２１には、ここに収納される遊技制御基板１１のコネクタ１３，１３，…が設けられた部分に合わせて、開口側へ膨出する段部２４，２４，…が形成され、該段部２４，２４，…にはコネクタ挿通開口部２５，２５，…が設けられている。このコネクタ挿通開口部２５，２５，…には、基板ボックス１２に収納された遊技制御基板１１のコネクタ１３，１３，…が挿入されて遊技制御装置１０の前面側に露出するようになっており、これによって遊技制御基板１１への配線が可能となっている。
【００２６】
また、コネクタ１３，１３，…がコネクタ挿通開口部２５，２５，…に挿入されることで、遊技制御基板１１は上下左右方向への移動が規制されるようになり、さらには、段部２４，２４，…に遊技制御基板１１の前面が当接し、遊技制御基板１１の前方への移動が規制される。すなわち、この段部２４，２４，…およびコネクタ挿通開口部２５，２５，…は、第１ボックス形成部材２０に対する遊技制御基板１１の位置決めを行う機能も有する。なお、遊技制御基板１１に設けるコネクタ１３，１３，…は一部分に集中させないで、複数箇所に分散して設けられており、遊技制御基板１１が適切な位置に確実に保持されるようにされている。
【００２７】
また、矩形箱状の第１ボックス形成部材２０における前部周囲壁２２のうち、上下の前部周囲壁２２における外側の面には、前部周囲壁２２に対して垂直に外側に突出する直方体状のスライド係合部２６，２６，…が複数形成されている。このスライド係合部２６，２６，…は、後述する第２ボックス形成部材４０に形成されたスライド係合受部４６，４６，…に係合可能であり、これにより第１ボックス形成部材２０と第２ボックス形成部材４０とが接合されるようになっている。また、矩形箱状の第１ボックス形成部材２０における前部周囲壁２２のうち、左側の前部周囲壁２２における外側の面には、前部周囲壁２２に対して垂直に外側に突出する直方体状の挿入係合部（図示略）が形成されている。この挿入係合部は、後述する第２ボックス形成部材４０に形成された挿入係合受部４７，４７に挿入されることで係合し、これによっても第１ボックス形成部材２０と第２ボックス形成部材４０とが接合されるようになっている。
【００２８】
また、上側の前部周囲壁２２における外側の面には、第２ボックス形成部材４０に形成された係止片４８と係合可能な係止部２７ａを備える係止部材２７が設けられており、これによって第１ボックス形成部材２０と第２ボックス形成部材４０を接合した状態で保持できるようになっている。これらスライド係合部２６、挿入係合部、係止部材２７による第１ボックス形成部材２０と第２ボックス形成部材４０の接合の詳細については後述する。
【００２９】
また、図２，７に示すように、第１ボックス形成部材２０の右側の前部周囲壁２２には、外側に向かって膨出するかしめ部配設部２８が形成され、このかしめ部配設部２８の右側の側面に、複数（例えば４つ）のかしめ部３０，３０，…がそれぞれ第１ボックス形成部材２０から延設された連結部２９，２９，…を介して設けられている。このかしめ部３０，３０，…は、後述するように取り外し不可能な方法で第１ボックス形成部材２０と第２ボックス形成部材４０とを固着する固着手段６０を構成するものである。なお、このかしめ部配設部２８は、右側の前部周囲壁２２の略前面を右側に膨出するように形成されており、このかしめ部配設部２８の右側の側面が第１ボックス形成部材２０の右側の側面を形成している。
【００３０】
図３に示すように、遊技制御装置１０の後面側を形成する第２ボックス形成部材４０は、遊技制御装置１０の後面をなす略矩形状の後面壁４１と、該後面壁４１の周囲を囲むように一側面側に垂直に突出し、遊技制御装置１０の後ろ側の側面をなす後部周囲壁４２とを備えており、これら後面壁４１と後部周囲壁４２とから遊技制御基板１１を収納可能な凹室状の後方収納部４３を備えた略矩形箱状に形成されている。
【００３１】
この後方収納部４３は、前方収納部２３の後端部分を収容可能な大きさであって、これによって凹室状の前方収納部２３が閉鎖されて収納部が形成されるようになっている。より詳細には、後方収納部４３の内部空間の上下幅は前方収納部２３における上側の前部周囲壁２２の外周面から下側の前部周囲壁２２の外周面までの幅に略等しく、左右幅は前方収納部２３における右側の前部周囲壁２２の外周面から左側の前部周囲壁２２の外周面までの幅に、かしめ部配設部２８の左右幅を加えた幅に略等しい。すなわち、第２ボックス形成部材４０は、第１ボックス形成部材２０よりも後部周囲壁４２の厚みの分だけ一回り大きく形成されている。
【００３２】
また、後方収納部４３の底面をなす後面壁４１の前面には、上側の後部周囲壁４２と平行なリブ状の上部案内壁４４が形成され、上側の前部周囲壁２２が左右方向にスライド可能に嵌合するスライド溝が形成されている。また同様に、下側の後部周囲壁４２と平行なリブ状の下部案内壁４５が形成され、下側の前部周囲壁２２が左右方向にスライド可能に嵌合するスライド溝が形成されている。
【００３３】
また、上下の後部周囲壁４２における外側の面には、第１ボックス形成部材２０に形成されたスライド係合部２６，２６，…と対応する位置に、該スライド係合部２６，２６，…を受け入れるスライド係合受部４６，４６，…が形成されている。このスライド係合受部４６，４６，…は、上下の後部周囲壁４２に形成されたＬ字状のスリット４６ａと、該スリット４６ａが形成された部分の外側を覆うカバー部４６ｂとからなる。Ｌ字状のスリット４６ａは、後部周囲壁４２の前端に一端部が位置しており、ここから前後方向に沿って後方へ延在し、さらに直角に左方へ屈折して左右方向に沿って延在するように形成されている。そして、後部周囲壁４２の前端に位置する一端部が、スライド係合部２６を受け入れる受入部とされ、スリット４６ａの外側を覆うカバー部４６ｂにも、この部分に切欠状の開口が形成されている。
【００３４】
また、左側の後部周囲壁４２には、第１ボックス形成部材２０に形成された挿入係合部（図示略）と対応する位置に、該挿入係合部を受け入れる挿入係合受部４７，４７が形成されている。この挿入係合受部４７，４７は、左側の後部周囲壁４２に挿入係合部を挿通可能な貫通孔４７ａを備えており、後述するように、第１ボックス形成部材２０と第２ボックス形成部材４０とを組み合わせた状態で第１ボックス形成部材２０を左方向へスライドすることにより、貫通孔４７ａに挿入係合部が挿入されるようになっている。
【００３５】
また、上側の後部周囲壁４２における外側の面には、第１ボックス形成部材２０に設けられた係止部２７ａと対応する位置に、係止片４８が形成されている。この係止片４８は、外側へ向かって突出する突条であって、右側面が左側へ向かって後部周囲壁４２からの突出量が増加する斜面とされ、左側面は後部周囲壁４２に対して垂直な面とされている。この係止片４８と係止部２７ａによって、後述するように、第１ボックス形成部材２０と第２ボックス形成部材４０とが接合した状態が保持される。
【００３６】
また、図３，５，７に示すように、第２ボックス形成部材４０における右側の後部周囲壁４２の外周面には、第１ボックス形成部材２０に設けられたかしめ部３０，３０，…に対応するように複数（例えば４つ）のかしめ受部５０，５０，…が、それぞれ第２ボックス形成部材４０から延設された連結部４９，４９，…を介して設けられている。また、隣設するかしめ受部５０，５０，…の間にも連結部４９，４９，…が設けられ、隣設するかしめ受部５０，５０，…どうしも連結部４９，４９，…で連結されている。このかしめ受部５０，５０，…は、固着手段６０を構成するものであって、第１ボックス形成部材２０と第２ボックス形成部材とを接合させることによってかしめ部３０，３０，…と対向するように配され、固着が可能な状態となる。
【００３７】
以上のような構成を有する基板ボックス１２は、図３に示すように、第１ボックス形成部材２０の前方収納部２３の開口と、第２ボックス形成部材４０の後方収納部４３の開口とが対向する向きで、間に遊技制御基板１１を挟んだ状態で接合される。この接合の際にはまず、第１ボックス形成部材２０のスライド係合部２６，２６，…を、第２ボックス形成部材４０のスライド係合受部４６，４６，…に嵌め込むようにする。これにより、前方収納部２３の後端部分が後方収納部４３に収容されるとともに、上下の前部周囲壁２２がスライド溝に嵌合する。
【００３８】
そしてこの状態で、第１ボックス形成部材２０を図示しない挿入係合部が形成された左方向へスライドさせることで、スライド係合部２６，２６，…とスライド係合受部４６，４６，…が係合するとともに、挿入係合部が挿入係合受部４７，４７に挿入されて係合した状態となる。これにより、第１ボックス形成部材２０と第２ボックス形成部材４０とが接合した状態となり、遊技制御基板１１は第１ボックス形成部材２０の前方収納部２３と第２ボックス形成部材４０の後方収納部４３から構成される収納部に収納された状態となる。
【００３９】
また、第１ボックス形成部材２０に設けられた係止部２７ａは、上述のように第１ボックス形成部材２０を左方向にスライドさせる過程で係止片４８の右側面の斜面に当接し、さらに左方向にスライドすることで、係止部材２７が弾性変形して係止部２７ａが係止片４８の斜面に沿って案内される。そして、係止部２７ａが係止片４８を乗り越えると、弾性変形していた係止部材２７が元の状態に復帰し、係止片４８の垂直な左端面に係止部２７ａが係止される。このように係止部２７ａが係止片４８を乗り越えた状態となるのは、ちょうど第１ボックス形成部材２０が第２ボックス形成部材４０と接合された状態となったときであって、この位置で係止部２７ａが係止されることで、第１ボックス形成部材２０と第２ボックス形成部材４０とが接合された状態で保持されることとなる。
【００４０】
このように第１ボックス形成部材２０と第２ボックス形成部材４０とが接合した状態では、固着手段６０をなすかしめ部３０，３０，…とかしめ受部５０，５０，…とが対向するように配され、固着可能な状態となる。なお、固着手段６０による固着を行う前であれば、係止部材２７を弾性変形させて係止片４８による係止部２７ａの係止状態を解除し、第１ボックス形成部材２０を右方向へスライドさせることで、第１ボックス形成部材２０と第２ボックス形成部材４０の接合状態を解除することができる。
【００４１】
固着手段６０は、第１ボックス形成部材２０の右側面に設けられたかしめ部３０，３０，…と、第２ボックス形成部材４０の右側面にかしめ部３０，３０，…と対応するように設けられたかしめ受部５０，５０，…と、かしめ部３０，３０，…とかしめ受部５０，５０，…とを固着する固着機構をなす座金７０、かしめねじ７６とから構成されるものである。
【００４２】
図４に示すように、かしめ部３０，３０，…は、かしめ部配設部２８の右側面に一列に並んで４つ設けられている。各かしめ部３０の構成は同じであって、それぞれのかしめ部３０は、対向して配されるかしめ受部５０へ向けて第１ボックス形成部材２０の前後方向に沿って延在するように、かしめ部を前後に貫通した挿入空間部３１と、かしめ部３０の右側の外側面から挿入空間部３１へ貫通するように開設された第１スリット３２とを備える。
【００４３】
挿入空間部３１は円筒状の空間であって、後述するようにかしめねじ７６を挿通可能な内径を有している。また、第１スリット３２は、後述する座金７０の第１片７３の断面形状に合わせて形成されており、この第１スリット３２を通して板状の第１片７３を挿入空間部３１の延在方向と垂直になるように挿入可能となっている。
【００４４】
また、図４に示すように、第２ボックス形成部材４０に設けられたかしめ受部５０，５０，…は、右側の後部周囲壁４２における外側の面に一列に並んで４つ設けられている。各かしめ受部５０の構成は同じであって、それぞれのかしめ受部５０は、後方収納部４３と同じ側（前方側）に開口する凹部５１と、かしめ受部５０の右側の外側面から凹部５１へ貫通するように開設された第２スリット５２とを備える。
【００４５】
凹部５１は、第２ボックス形成部材４０の前後方向に沿って延在し、後述するようにかしめねじ７６を挿入可能な内径を有する円筒形の空間であって、挿入空間部３１と同じ内径を有している。また、第２スリット５２は、後述する座金７０の第２片７４の断面形状に合わせて形成されており、この第２スリット５２を通して板状の第２片７４を凹部５１の延在方向と垂直になるように挿入可能となっている。
【００４６】
このかしめ部３０，３０，…とかしめ受部５０，５０，…は、図５（ａ）に示すように第１ボックス形成部材２０と第２ボックス形成部材４０とを接合することにより対向して配されるようになっている。そしてこのように、第１ボックス形成部材２０と第２ボックス形成部材４０とを接合し、かしめ部３０とかしめ受部５０が対向して配された状態では、挿入空間部３１と凹部５１は、互いの開口部が一致し、連通するようになっている。また、図６（ａ）、図７（ａ）に示すように、かしめ部３０とかしめ受部５０が対向して配された状態ではかしめ部３０とかしめ受部５０の外側面は面一となる。
【００４７】
図３、５から７に示すように、固着機構の一部をなす座金７０は、一列に並んで対向して配される４組のかしめ部３０，３０，…、かしめ受部５０，５０，…の各々に対応する４つの固定ユニット７１，７１，…を備え、かしめ部３０とかしめ受部５０のかしめねじ７６による固着を可能とするものである。各固定ユニット７１は、矩形板状の覆い面７２と、該覆い面７２の一端に直角に接続する矩形板状の第１片７３と、該覆い面７２の他端に直角に接続する矩形板状の第２片７４と、から断面コ字状に形成されている。
【００４８】
第１片７３はかしめ部３０の第１スリット３２から挿入空間部３１内に挿入される部分であり、第２片７４はかしめ受部５０の第２スリット５２から凹部５１に挿入される部分である。そして、この第１片７３と第２片７４の間隔、すなわち覆い面７２の前後幅は、第１ボックス形成部材２０と第２ボックス形成部材４０とを接合し、かしめ部３０とかしめ受部５０が対向して配された状態における、第１スリット３２と第２スリット５２との間隔と等しくされている。
【００４９】
また、図７（ｂ）に示すように、第１片７３と第２片７４の左右幅、すなわち覆い面７２からの突出幅は、覆い面７２がかしめ部３０とかしめ受部５０の外側面に当接して係止された状態において、第１片７３の挿入方向側端部の角部が挿入空間部３１の内側面に当接して係止されるとともに、第２片７４の挿入方向側端部の角部が凹部５１の内側面に当接して係止されるような幅に設定されている。よって、座金７０は、覆い面７２の挿入方向側の面、第１片７３の挿入方向側の端部、第２片７４の挿入方向側の端部が基板ボックス１２に係止されることで挿入方向側への移動が規制され、所定位置に配されるようになっている。
【００５０】
また、図３に示すように、板状の第１片７３、第２片７４にはそれぞれ、板面を貫通するように貫通孔７３ａ，７４ａが形成されている。この貫通孔７３ａ，７４ａは後述するかしめねじ７６と螺合可能な大きさとされていて、上述のように座金７０を所定位置に配した状態では、第１片７３に形成された貫通孔７３ａの中心が挿入空間部３１の中心と一致し、第２片７４に形成された貫通孔７４ａの中心が凹部５１の中心と一致するように形成されている。すなわち、挿入空間部３１、凹部５１、第１片７３の貫通孔７３ａ、第２片７４の貫通孔７４ａの中心が、前後方向に沿った一直線上に配されるようになっている。
【００５１】
そして、４つの固定ユニットは、互いの第１片７３、第２片７４、覆い面７２の各部がそれぞれ同一面上に位置するような向きで、一列に並んだかしめ部３０（かしめ受部５０）の間隔に合わせて、覆い面７２どうしが連結部７５によって連結されている。
【００５２】
固着機構の一部をなすかしめねじ７６は、締め付け方向となる一方向にのみ回すことができるようにされた単方向ネジ（ワンウェイねじ）であって、座金７０の第１片７３、第２片７４に形成された貫通孔７３ａ，７４ａに螺合可能な径および長さを有している。
【００５３】
このような構成を有する固着手段６０は、図５から７に示すように、第１ボックス形成部材２０と第２ボックス形成部材４０とを接合し、かしめ部３０，３０，…とかしめ受部５０，５０，…とが対向するように配した状態で、座金７０を取り付け、かしめねじ７６を挿入空間部３１に挿入することで固着可能な状態となる。
【００５４】
このとき座金７０は、第１片７３を第１スリット３２に、第２片７４を第２スリット５２に挿入するように取り付けるが、座金７０の各固定ユニット７１の間隔と、かしめ部３０（かしめ受部５０）の間隔が等しくされているので、図５（ｂ）に示すように、４つのかしめ部３０、かしめ受部５０）に同時に固定ユニット７１を挿入できる。また、座金７０を所定位置まで挿入した際に、図７（ｂ）に示すように、第１片７３、第２片７４、覆い面７２の各部がかしめ部３０、かしめ受部５０に係止され、挿入方向への移動が規制されるようになっている。
【００５５】
座金７０を挿入方向への移動が規制されるまで押し込み所定位置に配したら、挿入空間部３１の前側の開口からかしめねじ７６を挿入し、図５（ｂ）、図６（ｂ）、図７（ｂ）に示すように、第１片７３の貫通孔７３ａにのみ螺合する。なお、この状態では未だかしめ部３０とかしめ受部５０は固着されておらず、係止部材２７による係止を解除し、第１ボックス形成部材２０を右方向へスライドさせることで、第２スリット５２から第２片７４が抜け、第１ボックス形成部材２０と第２ボックス形成部材４０の接合状態を解除することができる。
【００５６】
第１ボックス形成部材２０と第２ボックス形成部材４０を固着する際には、かしめ部３０の挿入空間部３１内に位置する第１片７３の貫通孔７３ａにのみ螺合したかしめねじ７６を締め付け方向に回し、図５（ｃ）、図６（ｃ）、図７（ｃ）に示すように、かしめ受部５０の凹部５１内に位置する第２片７４の貫通孔７４ａに螺合する。これにより、第１ボックス形成部材２０に設けられたかしめ部３０と、第２ボックス形成部材４０に設けられたかしめ受部５０が固着され、第１ボックス形成部材２０と第２ボックス形成部材４０が固着されるようになっている。
【００５７】
また、以上のように固着された第１ボックス形成部材２０と第２ボックス形成部材４０の固着を解除する場合は、第２ボックス形成部材４０および隣設するかしめ受部５０から固着に使用したかしめ受部５０を切り離すように連結部４９を切断するとともに、座金７０における固着に使用した固定ユニット７１に隣設する連結部７５を切断する。すなわち、一度固着されたかしめ部３０とかしめ受部５０の固着を解除することができないので、基板ボックス１２を開封する際には、このように固着手段６０を不可逆的に破壊して開封する必要がある。これにより、基板ボックス１２が容易に開封できなくなるとともに開封された履歴が残るようになり、不正行為を防止できる。また、このように開封した後に再び固着する場合は、未使用のかしめ部３０とかしめ受部５０を用いて上述した固着作業を行う。
【００５８】
以上のことから、遊技機１００の動作に関わる電気的制御を実行するための電子部品とコネクタ１３，１３，…を実装した遊技制御基板１１を内包する基板ボックス１２を備えた遊技機１００において、基板ボックス１２は、第１ボックス形成部材２０と、第２ボックス形成部材４０と、からなるとともに、第１ボックス形成部材２０と第２ボックス形成部材４０とを固着する固着手段６０を備え、固着手段６０は、第１ボックス形成部材２０から延設された連結部２９を介して設けられるかしめ部３０と、第２ボックス形成部材４０から延設された連結部４９を介して設けられるかしめ受部５０と、かしめ部３０とかしめ受部５０とを固着する固着機構（かしめねじ７６、座金７０）と、を有するとともに、固着機構によりかしめ部３０とかしめ受部５０とが固着状態とされた場合には、連結部２９，４９を破壊しない限りその固着状態を解除することができないように構成され、かしめ部３０は、該かしめ部３０内をかしめ受部５０へ向けて貫通する挿入空間部３１と、当該かしめ部３０の外側面から挿入空間部３１へ貫通するように開設された第１スリット３２と、を有し、かしめ受部５０は、かしめ部３０と対向する側に開口し、挿入空間部３１と連通する凹部５１と、当該かしめ受部５０の外側面から凹部５１へ貫通するように開設された第２スリット５２と、を有し、固着機構は、かしめ部３０の挿入空間部３１からかしめ受部５０の凹部５１へ挿入されて固着を行うかしめねじ７６と、かしめねじ７６が貫通可能な貫通孔７３ａが開設され、第１スリット３２に挿入される第１片７３と、かしめねじ７６が貫通可能な貫通孔７４ａが開設され、第２スリット５２に挿入される第２片７４と、第１片７３と第２片７３とを接続し、かしめ部３０とかしめ受部５０との接合部分を覆う覆い面７２とを備える座金７０と、からなり、第１スリット３２に第１片７３を挿入し、第２スリット５２に第２片７４を挿入した状態で、かしめねじ７６を挿入空間部３１から凹部５１へ押し込み、貫通孔７３ａ，７４ａに貫通させることで、かしめ部３０とかしめ受部５０との固着を行うようにしたこととなる。
【００５９】
また、座金７０は、第１片７３の挿入方向側の端部、第２片７４の挿入方向側の端部及び覆い面７２の挿入方向側の面のうち、少なくとも一つが基板ボックス１２に係止されることで挿入方向側への移動が規制され、所定位置に配されるようにしたこととなる。
【００６０】
なお、かしめねじ７６を単方向ねじとし、貫通孔７３ａ，７４ａに螺合することでかしめ部３０とかしめ受部５０とを固着するとしたが、かしめねじとして先端部が拡幅したピンを用い、貫通孔７３ａ，７４ａに押し込んで貫通させると、拡幅部分が係合して引き抜くことができない構成として固着するようにしても良い。
【００６１】
次に、図８を参照して、上述した固着手段の第１変形例について説明する。なお、以下主に、上述の実施形態と異なる部分について説明し、同様の部分については同じ符号を付して説明を省略する。
【００６２】
本変形例の固着手段８０は、図８（ａ）、（ｄ）に示すように、座金８１の固定ユニット８６における第１片８２が第２片８３より長く形成されている。また、図８（ｂ）、（ｅ）に示すように、かしめ部３０には、第１スリット３２と挿入空間部３１を挟んで対向する位置に、第１スリット３２と同様に第１片８２の断面形状に合わせて形成された貫通スリット８５が形成されており、第１片８２を挿通可能となっている。これにより、第１片８２がかしめ部３０の連結部２９を覆うように配されるようになっている。なお、かしめ部３０に形成された第１スリット３２、貫通スリット８５が形成される位置は、連結部２９を避けるような位置とされ、図８（ｂ）に示すように連結部２９よりも後側の位置もしくは図８（ｅ）に示すように連結部２９よりも前側の位置とされている。
【００６３】
図８（ｂ）、（ｅ）に示すように、第１片８２の左右幅、すなわち覆い面８４からの突出幅は、かしめ部３０の右端からかしめ部配設部２８の右側面までの幅に等しい幅に設定されている。また、第２片８３の左右幅、すなわち覆い面８４からの突出幅は、上述の実施形態と同様に、覆い面８４がかしめ部３０とかしめ受部５０の外側面に当接して係止された状態において、挿入方向側端部の角部が凹部５１の内側面に当接する幅に設定されている。そして、この第１片８２と第２片８３の間隔、すなわち覆い面８４の前後幅は、第１ボックス形成部材２０と第２ボックス形成部材４０とを接合し、かしめ部３０とかしめ受部５０が対向して配された状態における、第１スリット３２と第２スリット５２との間隔と等しくされている。
【００６４】
よって、第１片８２を第１スリット３２に、第２片８３を第２スリット５２に挿入し、覆い面８４がかしめ部３０とかしめ受部５０の外側面に当接して係止された状態において、第１片８２は貫通スリット８５を貫通し、挿入方向側の端部がかしめ部配設部２８の側面に当接して係止されることとなる。また、第２片８３は挿入方向側端部の角部が凹部５１の内側面に当接して係止される。
【００６５】
そして、図８（ｃ）、（ｆ）に示すように、この状態で貫通孔８２ａ，８３ａにかしめねじ７６を螺合すればかしめ部３０とかしめ受部５０とを上述の実施形態と同様に固着することができる。このように、第１片８２が貫通スリット８５を貫通し、挿入方向側の端部がかしめ部配設部２８の側面に当接することで、第１片８２が連結部２９を覆うように配され、かしめ部３０の連結部２９の不正な切断を防止することができる。
【００６６】
なお、本実施形態において遊技制御装置１０は、かしめ部３０が遊技機１００の裏面側から視認可能に配されるようになっている。よって、図８（ｅ）に示すように、かしめ部３０に形成された第１スリット３２、貫通スリット８５が形成される位置を、連結部２９を避けるように連結部２９よりも前側の位置とすれば、第１片８２が外部から視認可能となり、不正な切断が困難であることを示すことができ、不正行為を未然に防ぐことができる。
【００６７】
以上のことから、かしめ部３０は、第１スリット３２と対向する位置に、当該かしめ部３０の外側面から挿入空間部３１へ貫通するように開設された貫通スリット８５を備え、座金８１は、第１片８２が第１スリット３２及び貫通スリット８５を貫通し、連結部２９を覆うように配されるようにしたこととなる。
【００６８】
次に、図９を参照して、上述した固着手段の第２変形例について説明する。なお、以下主に、上述の実施形態と異なる部分について説明し、同様の部分については同じ符号を付して説明を省略する。
【００６９】
本変形例の固着手段９０は、図９（ａ）、（ｄ）に示すように、座金９１の固定ユニット９６が第１変形例とは逆に、第１片９２より第２片９３が長く形成されている。また、図９（ｂ）、（ｅ）に示すように、かしめ受部５０には、第２スリット５２と凹部５１を挟んで対向する位置に、第２スリット５２と同様に第２片９３の断面形状に合わせて形成された貫通スリット９５が形成されており、第２片９３を挿通可能となっている。これにより、第２片９３がかしめ受部５０の連結部４９を覆うように配されるようになっている。なお、かしめ受部５０に形成された第２スリット５２、貫通スリット９５が形成される位置は、連結部４９を避けるような位置とされ、図９（ｂ）に示すように連結部４９よりも後側の位置もしくは図９（ｅ）に示すように連結部４９よりも前側の位置とされている。
【００７０】
図９（ｂ）、（ｅ）に示すように、第２片９３の左右幅、すなわち覆い面９４からの突出幅は、かしめ受部５０の右端から後部周囲壁４２の右側面までの幅に等しい幅に設定されている。また、第１片９２の左右幅、すなわち覆い面９４からの突出幅は、上述の実施形態と同様に、覆い面９４がかしめ部３０とかしめ受部５０の外側面に当接して係止された状態において、挿入方向側端部の角部が凹部５１の内側面に当接する幅に設定されている。そして、この第１片９２と第２片９３の間隔、すなわち覆い面９４の前後幅は、第１ボックス形成部材２０と第２ボックス形成部材４０とを接合し、かしめ部３０とかしめ受部５０が対向して配された状態における、第１スリット３２と第２スリット５２との間隔と等しくされている。
【００７１】
よって、第１片９２を第１スリット３２に、第２片９３を第２スリット５２に挿入し、覆い面９４がかしめ部３０とかしめ受部５０の外側面に当接して係止された状態において、第１片９２は挿入方向側端部の角部が挿入空間部３１の内側面に当接して係止される。また、第２片９３は貫通スリット９５を貫通し、挿入方向側の端部が後部周囲壁４２の側面に当接して係止されることとなる。
【００７２】
そして、図９（ｃ）、（ｆ）に示すように、この状態で貫通孔９２ａ，９３ａにかしめねじ７６を螺合すればかしめ部３０とかしめ受部５０とを上述の実施形態と同様に固着することができる。このように、第２片９３が貫通スリット９５を貫通し、挿入方向側の端部が後部周囲壁４２の側面に当接することで、第２片９３が連結部４９を覆うように配され、かしめ受部５０の連結部４９の不正な切断を防止することができる。
【００７３】
なお、遊技制御装置１０を、かしめ受部５０が遊技機１００の裏面側から視認可能に配されるようにする場合は、図９（ｂ）に示すように、かしめ受部５０に形成された第２スリット５２、貫通スリット９５が形成される位置を、連結部４９を避けるように連結部４９よりも後側の位置とすれば、第２片が外部から視認可能となり、不正な切断が困難であることを示すことができ、不正行為を未然に防ぐことができる。
【００７４】
以上のことから、かしめ受部５０は、第２スリット５２と対向する位置に、当該かしめ受部５０の外側面から凹部５１へ貫通するように開設された貫通スリット９５を備え、座金９１は、第２片９３が第２スリット５２及び貫通スリット９５を貫通し、連結部４９を覆うように配されるようにしたこととなる。
【００７５】
次に、図１０を参照して、上述した固着手段の第３変形例について説明する。なお、以下主に、上述の実施形態と異なる部分について説明し、同様の部分については同じ符号を付して説明を省略する。
【００７６】
本変形例の固着手段１４０は、図１０（ａ）に示すように、座金１４１の固定ユニット１４７における第１片１４２、第２片１４３がそれぞれ、かしめ部３０、かしめ受部５０の連結部２９，４９を覆うように配されるようになっている。また、図１０（ｂ）に示すように、かしめ部３０には、第１スリット３２と挿入空間部３１を挟んで対向する位置に、第１スリット３２と同様に第１片１４２の断面形状に合わせて形成された貫通スリット１４５が形成されており、第１片１４２を挿通可能となっている。また、かしめ受部５０には、第２スリット５２と凹部５１を挟んで対向する位置に、第２スリット５２と同様に第２片１４３の断面形状に合わせて形成された貫通スリット１４６が形成されており、第２片１４３を挿通可能となっている。
【００７７】
ここで、かしめ部３０における第１スリット３２、貫通スリット１４５が形成された位置は、連結部２９を避けるように連結部２９よりも前側の位置とされている。また、かしめ受部５０における第２スリット５２、貫通スリット１４６が形成された位置は、連結部４９を避けるように連結部４９よりも後側の位置とされている。なお、かしめ部３０における第１スリット３２、貫通スリット１４５が形成された位置およびかしめ受部５０における第２スリット５２、貫通スリット１４６が形成された位置はこれに限られるものではない。すなわち、連結部２９，４９を避けるように連結部２９，４９よりも前側もしくは後側の位置であれば良く、例えば、第１スリット３２、貫通スリット１４５が形成された位置を連結部２９よりも後側の位置とし、第２スリット５２、貫通スリット１４６が形成された位置を連結部４９よりも前側の位置としても良い。
【００７８】
図１０（ｂ）に示すように、第１片１４２の左右幅、すなわち覆い面１４４からの突出幅は、かしめ部３０の右端からかしめ部配設部２８の右側面までの幅に等しい幅に設定されている。また、第２片１４３の左右幅、すなわち覆い面１４４からの突出幅は、かしめ受部５０の右端から後部周囲壁４２の右側面までの幅に等しい幅に設定されている。そして、この第１片１４２と第２片１４３の間隔、すなわち覆い面１４４の前後幅は、第１ボックス形成部材２０と第２ボックス形成部材４０とを接合し、かしめ部３０とかしめ受部５０が対向して配された状態における、第１スリット３２と第２スリット５２との間隔と等しくされている。
【００７９】
よって、第１片１４２を第１スリット３２に、第２片１４３を第２スリット５２に挿入し、覆い面１４４がかしめ部３０とかしめ受部５０の外側面に当接して係止された状態において、第１片１４２は貫通スリット１４５を貫通し、挿入方向側の端部がかしめ部配設部２８の側面に当接して係止されることとなる。また、第２片１４３も貫通スリット１４６を貫通し、挿入方向側の端部が後部周囲壁４２の側面に当接して係止されることとなる。
【００８０】
そして、図１０（ｃ）に示すように、この状態で貫通孔１４２ａ，１４３ａにかしめねじ７６を螺合すれば、かしめ部３０とかしめ受部５０とを上述の実施形態と同様に固着することができる。このように、第１片１４２が貫通スリット１４５を貫通し、挿入方向側の端部がかしめ部配設部２８の側面に当接することで、第１片１４２が連結部２９を覆うように配され、第２片１４３が貫通スリット１４６を貫通し、挿入方向側の端部が後部周囲壁４２の側面に当接することで、第２片１４３が連結部４９を覆うように配される。これにより、かしめ部３０、かしめ受部５０の連結部２９，４９の不正な切断を防止することができる。
【００８１】
すなわち、かしめ部３０は、第１スリット３２と対向する位置に、当該かしめ部３０の外側面から挿入空間部３１へ貫通するように開設された貫通スリット１４５を備え、座金１４１は、第１片１４２が第１スリット３２及び貫通スリット１４５を貫通し、連結部２９を覆うように配されるようにするとともに、かしめ受部５０は、第２スリット５２と対向する位置に、当該かしめ受部５０の外側面から凹部５１へ貫通するように開設された貫通スリット１４６を備え、座金１４１は、第２片１４３が第２スリット５２及び貫通スリット１４６を貫通し、連結部４９を覆うように配されるようにしたこととなる。
【００８２】
以上のような遊技機１００は、遊技機１００の動作に関わる電気的制御を実行するための電子部品とコネクタ１３，１３，…を実装した遊技制御基板１１を内包する基板ボックス１２を備えた遊技機１００であって、基板ボックス１２は、第１ボックス形成部材２０と、第２ボックス形成部材４０と、からなるとともに、第１ボックス形成部材２０と第２ボックス形成部材４０とを固着する固着手段６０を備え、固着手段６０は、第１ボックス形成部材２０から延設された連結部２９を介して設けられるかしめ部３０と、第２ボックス形成部材４０から延設された連結部４９を介して設けられるかしめ受部５０と、かしめ部３０とかしめ受部５０とを固着する固着機構（かしめねじ７６、座金７０）と、を有するとともに、固着機構によりかしめ部３０とかしめ受部５０とが固着状態とされた場合には、連結部２９，４９を破壊しない限りその固着状態を解除することができないように構成され、かしめ部３０は、該かしめ部３０内をかしめ受部５０へ向けて貫通する挿入空間部３１と、当該かしめ部３０の外側面から挿入空間部３１へ貫通するように開設された第１スリット３２と、を有し、かしめ受部５０は、かしめ部３０と対向する側に開口し、挿入空間部３１と連通する凹部５１と、当該かしめ受部５０の外側面から凹部５１へ貫通するように開設された第２スリット５２と、を有し、固着機構は、かしめ部３０の挿入空間部３１からかしめ受部５０の凹部５１へ挿入されて固着を行うかしめねじ７６と、かしめねじ７６が貫通可能な貫通孔７３ａが開設され、第１スリット３２に挿入される第１片７３と、かしめねじ７６が貫通可能な貫通孔７４ａが開設され、第２スリット５２に挿入される第２片７４と、第１片７３と第２片７３とを接続し、かしめ部３０とかしめ受部５０との接合部分を覆う覆い面７２とを備える座金７０と、からなり、第１スリット３２に第１片７３を挿入し、第２スリット５２に第２片７４を挿入した状態で、かしめねじ７６を挿入空間部３１から凹部５１へ押し込み、貫通孔７３ａ，７４ａに貫通させることで、かしめ部３０とかしめ受部５０との固着を行うようにしている。
【００８３】
したがって、固着機構はかしめねじ７６と該かしめねじ７６を挿通可能な貫通孔７３ａ，７４ａが開設された座金７０とからなり、かしめねじ７６を貫通孔７３ａ，７４ａに押し込むことで固着を行うようにしたので、特殊な工具を使用することなくかしめを行うことができ、基板ボックス１２のかしめ作業を効率よく確実に行うことができる。また、座金７０の覆い面７２がかしめ部３０とかしめ受部５０との接合部分を覆うように配されるので、固着機構の不正な切断を防止でき遊技機１００に対する不正行為を確実に防止できる。
【００８４】
また、かしめ部３０は、第１スリット３２と対向する位置に、当該かしめ部３０の外側面から挿入空間部３１へ貫通するように開設された貫通スリット８５を備え、座金８１は、第１片８２が第１スリット３２及び貫通スリット８５を貫通し、連結部２９を覆うように配されるようにしている。
【００８５】
したがって、第１片８２が連結部２９を覆うように配されるので、連結部２９の不正な切断を困難にし、遊技機１００に対する不正行為を防止できる。特に、第１片８２が外部から視認可能な位置で連結部２９を覆う場合は、不正な切断が困難であることを示すことができ、不正行為を未然に防ぐことができる。
【００８６】
また、かしめ受部５０は、第２スリット５２と対向する位置に、当該かしめ受部５０の外側面から凹部５１へ貫通するように開設された貫通スリット９５を備え、座金９１は、第２片９３が第２スリット５２及び貫通スリット９５を貫通し、連結部４９を覆うように配されるようにしている。
【００８７】
したがって、第２片９３が連結部４９を覆うように配されるので、連結部４９の不正な切断を困難にし、遊技機１００に対する不正行為を確実に防止できる。特に、第２片９３が外部から視認可能な位置で連結部４９を覆う場合は、不正な切断が困難であることを示すことができ、不正行為を未然に防ぐことができる。
【００８８】
また、座金７０は、第１片７３の挿入方向側の端部、第２片７４の挿入方向側の端部及び覆い面７２の挿入方向側の面のうち、少なくとも一つが基板ボックス１２に係止されることで挿入方向側への移動が規制され、所定位置に配されるようにしている。
【００８９】
したがって、座金７０は第１片７３の挿入方向側の端部、第２片７４の挿入方向側の端部及び覆い面７２の挿入方向側の面のうち、少なくとも一つが基板ボックス１２に係止されることで挿入方向側への移動が規制され、所定位置に配されるので、座金７０が所定の位置に挿入されたことが確実に把握できる。特に、覆い面７２が係止された状態では、覆い面７２がかしめ部３０とかしめ受部５０との接合部分に密着して略面一となり、連結部２９，４９の不正な切断がより困難になるので、不正行為を確実に防止できる。
【００９０】
なお、本発明の遊技機は、遊技機として、前記実施の形態に示されるようなパチンコ遊技機に限られるものではなく、例えば、その他のパチンコ遊技機、アレンジボール遊技機、雀球遊技機、パチスロ遊技機などの全ての遊技機に適用可能である。
【００９１】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９２】
【図１】本発明を適用した一実施の形態の構成を示す遊技機の裏面図である。
【図２】遊技制御装置の正面図である。
【図３】遊技制御装置の前面側から見た分解斜視図である。
【図４】遊技制御装置の固着手段が設けられた側から見た分解側面図である。
【図５】図２に示す遊技制御装置のＢ−Ｂ断面を示す図であって、（ａ）固着機構を取り付ける前の状態を示す図、（ｂ）かしめねじを座金の第１片の貫通孔にのみ挿入した様子を示す図、（ｃ）かしめ部とかしめ受部を固着した様子を示す図である。
【図６】図２に示す遊技制御装置のＢ−Ｂ断面を示す図であって、（ａ）固着機構を取り付ける前の状態を示す図、（ｂ）かしめねじを座金の第１片の貫通孔にのみ挿入した様子を示す図、（ｃ）かしめ部とかしめ受部を固着した様子を示す図である。
【図７】図２に示す遊技制御装置のＡ−Ａ断面を示す図であって、（ａ）固着機構を取り付ける前の状態を示す図、（ｂ）かしめねじを座金の第１片の貫通孔にのみ挿入した様子を示す図、（ｃ）かしめ部とかしめ受部を固着した様子を示す図である。
【図８】固着手段の第１変形例を示す図であって、（ａ）（ｄ）座金の斜視図、（ｂ）（ｅ）対向して配されたかしめ部とかしめ受部の側部断面図であって、かしめねじを座金の第１片の貫通孔にのみ挿入した様子を示す図、（ｃ）（ｆ）対向して配されたかしめ部とかしめ受部の側部断面図であって、かしめ部とかしめ受部を固着した様子を示す図である。
【図９】固着手段の第２変形例を示す図であって、（ａ）（ｄ）座金の斜視図、（ｂ）（ｅ）対向して配されたかしめ部とかしめ受部の側部断面図であって、かしめねじを座金の第１片の貫通孔にのみ挿入した様子を示す図、（ｃ）（ｆ）対向して配されたかしめ部とかしめ受部の側部断面図であって、かしめ部とかしめ受部を固着した様子を示す図である。
【図１０】固着手段の第３変形例を示す図であって、（ａ）座金の斜視図、（ｂ）対向して配されたかしめ部とかしめ受部の側部断面図であって、かしめねじを座金の第１片の貫通孔にのみ挿入した様子を示す図、（ｃ）対向して配されたかしめ部とかしめ受部の側部断面図であって、かしめ部とかしめ受部を固着した様子を示す図である。
【符号の説明】
【００９３】
１１    遊技制御基板
１２    基板ボックス
１３    コネクタ
２０    第１ボックス形成部材
２９    連結部
３０    かしめ部
３１    挿入空間部
３２    第１スリット
４０    第２ボックス形成部材
４９    連結部
５０    かしめ受部
５１    凹部
５２    第２スリット
６０    固着手段
７０    座金（固着機構）
７２    覆い面
７３    第１片
７３ａ  貫通孔
７４    第２片
７４ａ  貫通孔
７６    かしめねじ（固着機構）
８０    固着手段
８１    座金
８２    第１片
８５    貫通スリット
９０    固着手段
９１    座金
９３    第２片
９５    貫通スリット
１００  遊技機
【図１】
2008073226.tif 000003
【図２】
2008073226.tif 000004
【図３】
2008073226.tif 000005
【図４】
2008073226.tif 000006
【図５】
2008073226.tif 000007
【図６】
2008073226.tif 000008
【図７】
2008073226.tif 000009
【図８】
2008073226.tif 000010
【図９】
2008073226.tif 000011
【図１０】
2008073226.tif 000012